(57)【要約】【課題】通話者の精神状態の変化や身体状態の変化を相手側に通じさせるコミュニケーションが可能な移動体通信端末装置を提供する。【解決手段】脈拍センサ１０を用いて通話者の脈拍を検出し、該検出した出力信号を脈拍音発生器２０に送信する。そして、脈拍音発生器２０は、音声通信路を通すために可聴周波数で音色設定可能な疑似脈拍音信号に変換する。次に、脈拍音発生器２０で変換した疑似脈拍音信号を送話器４０から送られてくる音声信号に重畳して相手側の通信端末装置に送信する。相手側の通信端末装置では、擬似的な脈拍音として流れることとなり、声やメールや撮影画像には表現されない、通話者の興奮や緊張感を相手側に伝えることが可能となる。【選択図】        図１
2004305330.tif 000002
【特許請求の範囲】
【請求項１】
通話者の身体状態の変化を検出し、検出パルスを生成する身体状態検出手段と、
前記身体状態検出手段により生成した検出パルスを、音声通話網を介して送信可能な疑似脈拍音信号に変換する疑似脈拍音信号変換手段と、
前記疑似脈拍音信号変換手段により変換した疑似脈拍音信号を通話者の音声信号に重畳して送信する送信手段と、
を有して構成されることを特徴とする移動体通信端末装置。
【請求項２】
前記疑似脈拍音信号変換手段により変換した疑似脈拍音信号の増幅を調整する音量調整手段を有することを特徴とする請求項１記載の移動体通信端末装置。
【請求項３】
前記疑似脈拍音信号変換手段により変換した疑似脈拍音信号の音色を選択する脈拍音選択手段を有することを特徴とする請求項１または２記載の移動体通信端末装置。
【請求項４】
前記脈拍音選択手段により選択する疑似脈拍音信号の音色を格納する脈拍音色格納手段を有することを特徴とする請求項３記載の移動体通信端末装置。
【請求項５】
前記疑似脈拍音信号変換手段は、
前記身体状態検出手段により生成した検出パルスの変化を誇張する検出パルス変化誇張手段を有することを特徴とする請求項１から３のいずれか１項に記載の移動体通信端末装置。
【請求項６】
前記検出パルス変化誇張手段を実行するか否かを設定する検出パルス変化誇張実行手段を有することを特徴とする請求項５記載の移動体通信端末装置。
【請求項７】
前記検出パルス変化誇張手段は、
前記身体状態検出手段により生成した検出パルスの単位時間あたりのパルス数をカウントする検出パルスカウント手段と、
前記検出パルスカウント手段によりカウントした単位時間あたりの正常値となるカウント値を格納する検出パルス格納手段と、
を有し、前記検出パルス変化誇張手段は、前記検出パルス格納手段に格納した正常値となるカウント値と、前記検出パルスカウント手段によりカウントしたカウント値と、の値の変化を基に前記検出パルスの変化を誇張することを特徴とする請求項５記載の移動体通信端末装置。
【請求項８】
前記検出パルスの変化の誇張は、
前記検出パルスカウント手段によりカウントしたカウント値から、前記検出パルス格納手段に格納したカウント値を減算する減算手段と、
前記減算手段により減算された値に所定の倍率を乗算する乗算手段と、
前記乗算手段により乗算された値を前記検出パルス格納手段に格納したカウント値に加算する加算手段と、
前記加算手段により加算された値をパルス列に再生するパルス再生手段と、
を有し、前記検出パルスの変化を誇張することを特徴とする請求項７記載の移動体通信端末装置。
【請求項９】
前記検出パルスの変化の誇張は、
前記検出パルスカウント手段によりカウントしたカウント値から、前記検出パルス格納手段に格納したカウント値を減算する減算手段と、
前記減算手段により減算された値に所定の倍率を乗算する乗算手段と、
前記乗算手段により乗算された値を前記検出パルスカウント手段によりカウントしたカウント値に加算する加算手段と、
前記加算手段により加算された値をパルス列に再生するパルス再生手段と、
を有し、前記検出パルスの変化を誇張することを特徴とする請求項７記載の移動体通信端末装置。
【請求項１０】
前記乗算手段により乗算する所定の倍率を設定する倍率設定手段を有することを特徴とする請求項８または９記載の移動体通信端末装置。
【請求項１１】
通信端末装置間で通話を行う際に、前記通信端末装置に音声情報を出力する音声情報発生装置であって、
通話者の身体状態の変化を検出し、検出パルスを生成する身体状態検出手段と、
前記身体状態検出手段により生成した検出パルスを、音声通話網を介して送信可能な疑似脈拍音信号に変換する疑似脈拍音信号変換手段と、
前記疑似脈拍音信号変換手段により変換した疑似脈拍音信号を通話者の音声信号に重畳する重畳手段と、
前記重畳手段により重畳した音声信号を前記通信端末装置に出力する配線手段と、
を有して構成されることを特徴とする音声情報発生装置。
【請求項１２】
前記疑似脈拍音信号変換手段により変換した疑似脈拍音信号の増幅を調整する音量調整手段を有することを特徴とする請求項１１記載の音声情報発生装置。
【請求項１３】
前記疑似脈拍音信号変換手段により変換した疑似脈拍音信号の音色を選択する脈拍音選択手段を有することを特徴とする請求項１１または１２記載の音声情報発生装置。
【請求項１４】
前記脈拍音選択手段により選択する疑似脈拍音信号の音色を格納する脈拍音色格納手段を有することを特徴とする請求項１３記載の音声情報発生装置。
【請求項１５】
前記疑似脈拍音信号変換手段は、
前記身体状態検出手段により生成した検出パルスの変化を誇張する検出パルス変化誇張手段を有することを特徴とする請求項１１から１３のいずれか１項に記載の音声情報発生装置。
【請求項１６】
前記検出パルス変化誇張手段を実行するか否かを設定する検出パルス変化誇張実行手段を有することを特徴とする請求項１５記載の音声情報発生装置。
【請求項１７】
前記検出パルス変化誇張手段は、
前記身体状態検出手段により生成した検出パルスの単位時間あたりのパルス数をカウントする検出パルスカウント手段と、
前記検出パルスカウント手段によりカウントした単位時間あたりの正常値となるカウント値を格納する検出パルス格納手段と、
を有し、前記検出パルス変化誇張手段は、前記検出パルス格納手段に格納した正常値となるカウント値と、前記検出パルスカウント手段によりカウントしたカウント値と、の値の変化を基に前記検出パルスの変化を誇張することを特徴とする請求項１５記載の音声情報発生装置。
【請求項１８】
前記検出パルスの変化の誇張は、
前記検出パルスカウント手段によりカウントしたカウント値から、前記検出パルス格納手段に格納したカウント値を減算する減算手段と、
前記減算手段により減算された値に所定の倍率を乗算する乗算手段と、
前記乗算手段により乗算された値を前記検出パルス格納手段に格納したカウント値に加算する加算手段と、
前記加算手段により加算された値をパルス列に再生するパルス再生手段と、
を有し、前記検出パルスの変化を誇張することを特徴とする請求項１７記載の音声情報発生装置。
【請求項１９】
前記検出パルスの変化の誇張は、
前記検出パルスカウント手段によりカウントしたカウント値から、前記検出パルス格納手段に格納したカウント値を減算する減算手段と、
前記減算手段により減算された値に所定の倍率を乗算する乗算手段と、
前記乗算手段により乗算された値を前記検出パルスカウント手段によりカウントしたカウント値に加算する加算手段と、
前記加算手段により加算された値をパルス列に再生するパルス再生手段と、
を有し、前記検出パルスの変化を誇張することを特徴とする請求項１７記載の音声情報発生装置。
【請求項２０】
前記乗算手段により乗算する所定の倍率を設定する倍率設定手段を有することを特徴とする請求項１８または１９記載の音声情報発生装置。
【発明の詳細な説明】
【０００１】
【発明の属する技術分野】
本発明は、移動体通信端末装置、通信端末装置に音声情報を出力する音声情報発生装置に関し、より詳細には、セルラー方式やＣＤＭＡ（Ｃｏｄｅ  Ｄｉｖｉｓｉｏｎ  Ｍｕｌｔｉｐｌｅ  Ａｃｃｅｓｓ）方式などによる情報通信を行うための携帯電話機やＰＨＳ（Ｐｅｒｓｏｎａｌ  Ｈａｎｄｙｐｈｏｎｅ  Ｓｙｓｔｅｍ）方式によるＰＨＳ端末などの移動体通信端末装置、有線または無線での通信が可能な通信端末装置に音声情報を出力する音声情報発生装置に関する。
【０００２】
【従来の技術】
近年の移動体通信端末装置にはブラウザ機能やメール機能など様々な付加機能を搭載し、音声情報のみならず、文字情報や静止画像情報を送受信できる移動体通信端末装置がある。
【０００３】
一方、近年の情報通信技術の発達により、音声情報と動画情報とをリアルタイムで双方向に送受信可能なテレビ電話が開発されている。このテレビ電話には、マイク（音声入力部）とカメラ（画像入力部）とによりリアルタイムに入力した音声情報と画像情報とを相手側に送信し、相手側から送信される音声情報と画像情報とをスピーカ（音声出力部）とディスプレイ（画像表示部）とに出力する構成となっている。
【０００４】
また、本発明の先の出願となる技術文献として、発信者側の生体を検査して得られた検査情報に基づく診断情報を受信者側の端末に自動的に送信し、且つ、受信者側の端末から送信される受信者側の検査情報に基づく診断情報を受信し、該受信した診断情報を表示することで、発信者側に関する無意識の情報を双方向に送受信する発明がある（例えば、特許文献１参照）。
【０００５】
また、ジャケットを着用した者の心拍数、体温等を検出し、該検出した情報を音声信号に変換して送信することで、ジャケットを着用した本人の身体状態を通報する発明がある（例えば、特許文献２参照）。
【０００６】
【特許文献１】
特開２００２−２８２２１８号公報
【特許文献２】
特開２００１−２６２４０８号公報
【０００７】
【発明が解決しようとする課題】
しかしながら、従来の移動体通信端末装置では、通話機能と、ブラウザ機能やメール機能と、が別々に動作していたため、通話中は文字情報や画像情報を送受信することができず、使い勝手が悪いという問題点がある。
このため、通話中の相手側の状態を知りたい場合などに対応することができない。
【０００８】
また、テレビ電話では、音声情報と画像情報とを送受信可能となるため、相手側の状態を知りながら話したりすることは可能となるが、機能構成が複雑で高価になりやすい問題がある。
【０００９】
また、特許文献１においては、音声信号と、検査情報に基づく診断情報と、をマルチプレクスし、マルチプレクスされた音声信号並びに診断情報を受信者側の端末に送信し、受信者側の端末は、該受信した診断情報を表示部に表示するため、受信者側は、表示部に表示された診断情報を見なければ、発信者側に関する無意識の情報を把握することができない。
【００１０】
また、特許文献２においては、ジャケットを着用した者の心拍数、体温等から検出した情報を音声信号に変換して送信することで、ジャケットを着用した者の身体状態を通報することとしており、ジャケットを着用した本人の音声を同時に送信することは考慮していない。
【００１１】
本発明は上記事情に鑑みてなされたものであり、通話者の精神状態の変化や身体状態の変化を相手側に通じさせるコミュニケーションが可能な移動体通信端末装置、通信端末装置に音声情報を出力する音声情報発生装置を提供することを目的とする。
【００１２】
【課題を解決するための手段】
かかる目的を達成するために本発明は、以下のような特徴を有する。
請求項１記載の発明は、通話者の身体状態の変化を検出し、検出パルスを生成する身体状態検出手段と、身体状態検出手段により生成した検出パルスを、音声通話網を介して送信可能な疑似脈拍音信号に変換する疑似脈拍音信号変換手段と、疑似脈拍音信号変換手段により変換した疑似脈拍音信号を通話者の音声信号に重畳して送信する送信手段と、を有して構成されることを特徴とする。
【００１３】
請求項２記載の発明は、請求項１記載の移動体通信端末装置において、疑似脈拍音信号変換手段により変換した疑似脈拍音信号の増幅を調整する音量調整手段を有することを特徴とする。
【００１４】
請求項３記載の発明は、請求項１または２記載の移動体通信端末装置において、疑似脈拍音信号変換手段により変換した疑似脈拍音信号の音色を選択する脈拍音選択手段を有することを特徴とする。
【００１５】
請求項４記載の発明は、請求項３記載の移動体通信端末装置において、脈拍音選択手段により選択する疑似脈拍音信号の音色を格納する脈拍音色格納手段を有することを特徴とする。
【００１６】
請求項５記載の発明は、請求項１から３のいずれか１項に記載の移動体通信端末装置において、疑似脈拍音信号変換手段は、身体状態検出手段により生成した検出パルスの変化を誇張する検出パルス変化誇張手段を有することを特徴とする。
【００１７】
請求項６記載の発明は、請求項５記載の移動体通信端末装置において、検出パルス変化誇張手段を実行するか否かを設定する検出パルス変化誇張実行手段を有することを特徴とする。
【００１８】
請求項７記載の発明は、請求項５記載の移動体通信端末装置において、検出パルス変化誇張手段は、身体状態検出手段により生成した検出パルスの単位時間あたりのパルス数をカウントする検出パルスカウント手段と、検出パルスカウント手段によりカウントした単位時間あたりの正常値となるカウント値を格納する検出パルス格納手段と、を有し、検出パルス変化誇張手段は、検出パルス格納手段に格納した正常値となるカウント値と、検出パルスカウント手段によりカウントしたカウント値と、の値の変化を基に検出パルスの変化を誇張することを特徴とする。
【００１９】
請求項８記載の発明は、請求項７記載の移動体通信端末装置において、検出パルスの変化の誇張は、検出パルスカウント手段によりカウントしたカウント値から、検出パルス格納手段に格納したカウント値を減算する減算手段と、減算手段により減算された値に所定の倍率を乗算する乗算手段と、乗算手段により乗算された値を検出パルス格納手段に格納したカウント値に加算する加算手段と、加算手段により加算された値をパルス列に再生するパルス再生手段と、を有し、検出パルスの変化を誇張することを特徴とする。
【００２０】
請求項９記載の発明は、請求項７記載の移動体通信端末装置において、検出パルスの変化の誇張は、検出パルスカウント手段によりカウントしたカウント値から、検出パルス格納手段に格納したカウント値を減算する減算手段と、減算手段により減算された値に所定の倍率を乗算する乗算手段と、乗算手段により乗算された値を検出パルスカウント手段によりカウントしたカウント値に加算する加算手段と、加算手段により加算された値をパルス列に再生するパルス再生手段と、を有し、検出パルスの変化を誇張することを特徴とする。
【００２１】
請求項１０記載の発明は、請求項８または９記載の移動体通信端末装置において、乗算手段により乗算する所定の倍率を設定する倍率設定手段を有することを特徴とする。
【００２２】
請求項１１記載の発明は、通信端末装置間で通話を行う際に、通信端末装置に音声情報を出力する音声情報発生装置であって、通話者の身体状態の変化を検出し、検出パルスを生成する身体状態検出手段と、身体状態検出手段により生成した検出パルスを、音声通話網を介して送信可能な疑似脈拍音信号に変換する疑似脈拍音信号変換手段と、疑似脈拍音信号変換手段により変換した疑似脈拍音信号を通話者の音声信号に重畳する重畳手段と、重畳手段により重畳した音声信号を通信端末装置に出力する配線手段と、を有して構成されることを特徴とする。
【００２３】
請求項１２記載の発明は、請求項１１記載の音声情報発生装置において、疑似脈拍音信号変換手段により変換した疑似脈拍音信号の増幅を調整する音量調整手段を有することを特徴とする。
【００２４】
請求項１３記載の発明は、請求項１１または１２記載の音声情報発生装置において、疑似脈拍音信号変換手段により変換した疑似脈拍音信号の音色を選択する脈拍音選択手段を有することを特徴とする。
【００２５】
請求項１４記載の発明は、請求項１３記載の音声情報発生装置において、脈拍音選択手段により選択する疑似脈拍音信号の音色を格納する脈拍音色格納手段を有することを特徴とする。
【００２６】
請求項１５記載の発明は、請求項１１から１３のいずれか１項に記載の音声情報発生装置において、疑似脈拍音信号変換手段は、身体状態検出手段により生成した検出パルスの変化を誇張する検出パルス変化誇張手段を有することを特徴とする。
【００２７】
請求項１６記載の発明は、請求項１５記載の音声情報発生装置において、検出パルス変化誇張手段を実行するか否かを設定する検出パルス変化誇張実行手段を有することを特徴とする。
【００２８】
請求項１７記載の発明は、請求項１５記載の音声情報発生装置において、検出パルス変化誇張手段は、身体状態検出手段により生成した検出パルスの単位時間あたりのパルス数をカウントする検出パルスカウント手段と、検出パルスカウント手段によりカウントした単位時間あたりの正常値となるカウント値を格納する検出パルス格納手段と、を有し、検出パルス変化誇張手段は、検出パルス格納手段に格納した正常値となるカウント値と、検出パルスカウント手段によりカウントしたカウント値と、の値の変化を基に検出パルスの変化を誇張することを特徴とする。
【００２９】
請求項１８記載の発明は、請求項１７記載の音声情報発生装置において、検出パルスの変化の誇張は、検出パルスカウント手段によりカウントしたカウント値から、検出パルス格納手段に格納したカウント値を減算する減算手段と、減算手段により減算された値に所定の倍率を乗算する乗算手段と、乗算手段により乗算された値を検出パルス格納手段に格納したカウント値に加算する加算手段と、加算手段により加算された値をパルス列に再生するパルス再生手段と、を有し、検出パルスの変化を誇張することを特徴とする。
【００３０】
請求項１９記載の発明は、請求項１７記載の音声情報発生装置において、検出パルスの変化の誇張は、検出パルスカウント手段によりカウントしたカウント値から、検出パルス格納手段に格納したカウント値を減算する減算手段と、減算手段により減算された値に所定の倍率を乗算する乗算手段と、乗算手段により乗算された値を検出パルスカウント手段によりカウントしたカウント値に加算する加算手段と、加算手段により加算された値をパルス列に再生するパルス再生手段と、を有し、検出パルスの変化を誇張することを特徴とする。
【００３１】
請求項２０記載の発明は、請求項１８または１９記載の音声情報発生装置において、乗算手段により乗算する所定の倍率を設定する倍率設定手段を有することを特徴とする。
【００３２】
【発明の実施の形態】
（発明の特徴）
まず、図１を参照しながら、本発明にかかるコミュニケーションツールについて説明する。
本発明にかかるコミュニケーションツールは、脈拍を測定することで生成されるパルス信号を、音声通話網を介して相手側の通信端末装置に送信するために可聴周波数信号に変換し、該変換した可聴周波数信号を通話者の音声信号に重畳して相手側の通信端末装置に伝送するツールである。
このコミュニケーションツールにより、単に、音声情報やテキストや画像情報のみならず、通話者の精神状態の変化や身体状態の変化が相手側の通信端末装置に音声信号として送信されることとなり、メールの文章や顔画像情報からでは把握することが困難な通話者の興奮や緊張感が相手側に伝わることとなり、さらなる臨場感、あるいは相手側との一体感が得られるコミュニケーションが可能となる。
【００３３】
（第１の実施の形態）
まず、図１を参照しながら本発明にかかる第１の実施の形態について説明する。
第１の実施の形態における音声情報発生装置は、図１に示すように、人体の脈拍を測定し、脈拍パルスを生成する脈拍センサ１０と、脈拍センサ１０の出力信号をトリガ信号として、可聴周波数で音色設定可能な擬似的脈拍音信号を発生する脈拍音発生器２０と、脈拍音発生器２０の出力信号を調整する音量調整器３０と、音声信号を生成する送話器４０と、受話信号を受信する受話器５０と、送話器４０の出力信号と音量調整器３０の出力信号とを加算する加算器６０と、加算器６０の出力信号を移動体通信端末装置に出力し、移動体通信端末装置からの受話信号を受けて受話器５０へ送信するためのプラグ７０と、を有する。
【００３４】
次に、図２を参照しながら、本発明にかかる音声情報発生装置を用いたコミュニケーションツールの利用形態を説明する。
まず、通話者の耳たぶをクリップで挟んでとめる形態の脈拍センサ１０と、送話器４０と、受話器５０と、を有して構成されるヘッドセット８０を頭に装着する。ヘッドセット８０は、ケーブルを介してコントローラ１００に接続し、コントローラ１００を介して移動体通信端末２００のヘッドホンジャックにプラグ７０を挿入することで、本発明にかかる音声情報発生装置を用いたコミュニケーションツールが利用可能となる。なお、コントローラ１００は、脈拍音色選択つまみ２１と、脈拍音量調整つまみ３１と、基準脈拍読み込みボタン１８と、を有して構成される。なお、本発明にかかる音声情報発生装置は、移動体通信端末装置２００に入出力する音声信号を生成するが、相手側の通信端末装置への伝達は既存の音声通信手段を利用するため、使用にあたっては、移動体通信端末装置２００の具備するヘッドホンジャックに本ツールのプラグ７０を挿入することとする。
【００３５】
（第１の実施の形態における処理動作）
次に、図１を参照しながら、音声情報発生装置を用いた第１の実施の形態におけるコミュニケーションツールの処理動作について説明する。
まず、耳たぶをクリップで挟んで止める形態の脈拍センサ１０を用いて通話者の脈拍を検出し、電気信号パルスを出力する。脈拍センサ１０は、耳たぶ内の血管に流れる血流の変化を検出することで電気信号パルスを出力する。なお、脈拍センサ１０から電気信号パルスを出力する出力方法は公知の技術を用いて行うことが可能であり特に限定しない。また、脈拍センサ１０を用いて脈拍を検出する身体部分は特に限定せず、脈拍を検出する検出身体部分に応じて形成される形態の構成部分に脈拍センサ１０を搭載することで、脈拍を検出することとする。なお、脈拍センサ１０からは、図１の“ａ”で示した形のパルス信号が出力される。
【００３６】
脈拍音発生器２０は、脈拍センサ１０から入力された電気信号パルスがトリガされると、１回のトリガにつき１発の、可聴周波数で音色設定可能な擬似脈拍音信号を発生する。なお、擬似脈拍音信号は、図２に示すコントローラ１００のメモリに予め蓄積されているものとする。このように、脈拍センサ１０の出力パルス列の１パルスをトリガにして、可聴周波数で音色設定可能な１発の擬似脈拍音信号を発生させることで、音声通信網を介して擬似的な脈拍音信号を送信することが可能となる。また、擬似脈拍音信号は予め何種類か作っておき合成音としてメモリに蓄積しておくこととする。
【００３７】
この擬似脈拍音信号は、例えば「ドクン」といった信号音であり図１の“ｂ”で示す形態のアナログ信号となる。このアナログ信号は音量調整器３０により振幅が調整され図１の“ｃ”のような波形となる。音量調整は、図２に示す脈拍音量調整つまみ３１を利用者が操作することで行われる。このとき、通話者は受話器５０から聞こえる擬似脈拍音信号を、相手側の通信端末装置から発する音が聞こえやすくなるように、脈拍音量調整つまみ３１を操作して音量調整を行うこととする。
【００３８】
また、脈拍音色選択つまみ２１を用いて相手側の通信端末装置に送信する擬似脈拍音の種類を選択する。例えば、通話者側の擬似脈拍音と相手側の擬似脈拍音とを区別できるよう、周波数成分を高いものと低いものなどに選択するとともに、娯楽性を高めるために面白い音を選択する。これにより、例えば、脈拍センサ１０を付けた通話者側が男性、相手側が女性の場合には、通話者側は低い周波数成分を多く含む擬似脈拍音信号を選択し、相手側には高い周波数成分を多く含む擬似脈拍音信号を選択することが可能となる。
【００３９】
次に、音量調整器３０を通過した擬似脈拍音信号は、送話器４０から出力される音声信号と、加算器６０において加算され、プラグ７０を経由して接続された移動体通信端末装置２００（図２参照）に出力される。このように、擬似脈拍音信号を送話器４０で集音した音声信号と重ね合わせることにより、音声通信網を介して相手側の通信端末装置に伝送することが可能となる。また、移動体通信端末装置２００（図２参照）に受信された受話信号はプラグ７０を経由して受話器５０に入力され、音声に変換される。
【００４０】
なお、移動体通信端末装置２００（図２参照）に出力された擬似脈拍音信号は、音声信号と全く同じ扱いで相手側の通信端末装置に伝送される。また、移動体通信端末装置は、電話機などの音声通信手段を有する通信端末装置でも可能であり、特に限定しない。
【００４１】
このように、脈拍センサ１０を用いて通話者の脈拍を検出し、該検出した出力信号を脈拍音発生器２０に送信する。そして、脈拍音発生器２０は、音声通信路を通すために可聴周波数で音色設定可能な疑似脈拍音信号に変換する。これにより、「ドクン、ドクン」というような擬似的な脈拍音を電気的に発生させることが可能となる。そして、脈拍音発生器２０で変換された疑似脈拍音信号を送話器４０から送られてくる音声信号に重畳して相手側の通信端末装置に送信することで、通話中に、擬似的な脈拍音として流すことが可能となり、音声やメールや撮影画像には表現されない、通話者の興奮や緊張感を相手側に伝えることが可能となる。
【００４２】
例えば、通話時における通話者の精神状態の変化や身体状態の変化が相手側に伝わりやすくなり、大事なことを相手側に告白するとき、嘘をつくとき、急いで走ってきたときなどに、通話者の内面的な変化が通話者の意思に関わり無く相手側に伝わることとなり、非常に面白いコミュニケーションが可能となる。
【００４３】
また、相手側の通信端末装置に送信する音声信号に対して擬似脈拍音信号が大きすぎると通話の妨げになるため、音量調整器３０を用いて疑似脈拍音信号の振幅を調整することで、疑似脈拍音信号の音量調整を行うことが可能となり、相手側に対して最適な擬似脈拍音信号を送信することが可能となる。
【００４４】
（第２の実施の形態）
次に、図３を参照しながら、本発明にかかる第２の実施の形態について説明する。
第２の実施の形態における音声情報発生装置は、図３に示すように、人体の脈拍を測定し、脈拍パルスを生成する脈拍センサ１０と、脈拍センサ１０の出力信号のパルス数をカウントするカウンタ１１と、カウンタ１１の出力信号値を記憶する基準脈拍メモリ１３と、カウンタ１１の出力信号値を基準脈拍メモリ１３に伝えるか否かを決定するスイッチ１２と、カウンタ１１の出力信号値から基準脈拍メモリ１３の出力信号値を減算する減算器１４と、減算器１４の出力信号値に指定された倍率を乗ずる乗算器１５と、乗算器１５の出力信号値と基準脈拍メモリ１３の出力信号値とを加算する加算器１６と、加算器１６の出力信号値をパルス列に再生するパルス再生器１７と、パルス再生器１７の出力信号値をトリガ信号として、可聴周波数で音色設定が可能な擬似的脈拍音信号を発生する脈拍音発生器２０と、脈拍音発生器２０の出力信号の大きさを調整する音量調整器３０と、送話器４０と、受話器５０と、送話器４０の出力信号と音量調整器３０の出力信号とを加算する加算器６０と、加算器６０の出力信号を携帯電話機などの移動体通信端末装置に出力し、移動体通信端末装置からの受話信号を受けて該受話器５０へ送信するためのプラグ７０と、を有して構成される。
【００４５】
（第２の実施の形態における処理動作）
次に、図３を参照しながら、上記構成からなる音声情報発生装置を用いた第２の実施の形態におけるコミュニケーションツールの処理動作について説明する。
【００４６】
第１の実施の形態と同様に、まず、耳たぶにクリップで挟んで止める形態の脈拍センサ１０を用いて通話者の脈拍を検出し、該検出した脈拍のパルス列をカウンタ１１に出力する。カウンタ１１は、脈拍センサ１０から出力されたパルス列から単位時間あたりのパルス数をカウントする。なお、単位時間は１分間としてもよいし、より早く脈拍変化を相手側に伝えるためには１０秒間程度としてもよい。カウンタ１１でカウントされたカウント値は単位時間毎に更新される。
【００４７】
なお、通話者は、相手側とのコミュニケーションを行う前に、平常の脈拍数と思われるときの脈拍数を、脈拍センサ１０を用いて音声情報発生装置に記憶する。通話者が、図２に示される基準脈拍読み込みボタン１８を押下することでスイッチ１２が閉じ、単位時間内の脈拍数が基準脈拍メモリ１３に記憶される。基準脈拍メモリ１３は、再度、基準脈拍読み込みボタン１８が押下されるまで、基準脈拍メモリ１３に記憶した脈拍数を保持することとなる。
【００４８】
ここで説明の便のため、単位時間を１分間、基準脈拍メモリ１３に記憶した脈拍数を８０とする。まず、実際の相手側とのコミュニケーション時にカウンタ１１でカウントされたカウント値が８５とすると、減算器１４では、「カウンタ１１でカウントされたカウント値−基準脈拍メモリ１３に記憶された脈拍数」の減算を行う。この例では、カウンタ１１でカウントされたカウント値（８５）−基準脈拍メモリ１３に記憶された脈拍数（８０）＝＋５が、減算器１４から出力される。
【００４９】
減算器１４の出力値は乗算器１５によって所定の倍率を乗じられる。ここで所定の倍率は「×２」とする。この倍率は、任意の倍率を設定するための倍率設定手段を設け、利用者が任意に倍率を設定することも可能である。
この例では乗算器１５の出力値は、減算器１４の出力値（＋５）×倍率（２）＝＋１０となる。
【００５０】
乗算器１５の出力値は、加算器１６において基準脈拍メモリ１３の出力値と加算される。
この例では加算器１６の出力値は、乗算器１５の出力値（＋１０）＋基準脈拍メモリ１３に記憶された脈拍数（８０）＝９０となる。この値がパルス再生器１７に入力されると、パルス再生器１７は、この例では毎分９０個のパルス列を出力する。このパルス列は脈拍音発生器２０に入力される。以下の処理は、第１の実施の形態と同様な処理を行うこととなる。
【００５１】
このように、通話者の平常時の基準脈拍数を、脈拍センサ１０を用いて予め基準脈拍メモリ１３に記憶させ、実際の通話時に通話者が興奮したり緊張したりすることで脈拍センサ１０から検出される脈拍数が上がって来た場合、脈拍センサ１０から検出した通話時の脈拍数を、基準脈拍メモリ１３に記憶した基準脈拍数で減算し差分を出し、この差分を乗算器１５で増幅し、この増幅した数を、基準脈拍メモリ１３に記憶した基準脈拍数に足し合わせることで、実際の脈拍変化より大きな変化を作り出すことができる。これにより、脈拍の変化を誇張して伝えることとなり、通話時のコミュニケーションをさらに密接にすることが可能となる。
【００５２】
なお、上記処理動作において、図３に示すように、加算器１６において、乗算器１５の出力値と、基準脈拍メモリ１３の基準脈拍数と、を加算することとしたが、図４に示すように、加算器１６において、乗算器１５の出力値と、カウンタ１１でカウントされたカウント値と、を加算することも可能である。
【００５３】
（第３の実施の形態）
次に、第３の実施の形態について説明する。
第１と第２との実施の形態は、移動体通信端末装置に接続する音声情報発生装置を用いたコミュニケーションツールについて説明したが、第３の実施の形態は、第１、第２の実施の形態における音声情報発生装置を移動体通信端末装置に搭載した移動体通信端末装置を構成することとする。
【００５４】
第１の実施の形態におけるコミュニケーションを行う場合には、図５に示す構成を移動体通信端末装置内に構成することとし、加算器６０において、送話器４０から出力される音声信号と、音量調整器３０から出力された疑似脈拍音信号と、を重ね合わせた音声信号を送信器８０から送信することとする。
【００５５】
また、第２の実施の形態におけるコミュニケーションを行う場合には、図６、図７に示す構成を移動体通信端末装置に構成することとし、加算器６０において、送話器４０から出力される音声信号と、音量調整器３０から出力された疑似脈拍音信号と、を重ね合わせた音声信号を送信器８０から送信することとする。
【００５６】
例えば、送話器４０、受話器５０は移動体通信端末装置に内蔵する機能を使用し、脈拍センサ１０を移動体通信端末装置の受話器５０付近の耳が接触する部分に組込み、通話時に脈拍を検出するように構成することも可能である。また、コントローラ１００は、移動体通信端末装置に搭載されている操作ボタンを用いて操作を行うように構成する。このように、第１と、第２の実施の形態における音声情報発生装置を移動体通信端末装置に搭載することでも、コミュニケーションツールを実施することが可能となる。
【００５７】
なお、上述する実施の形態は、本発明の好適な実施の形態であり、本発明の要旨を逸脱しない範囲内において種々変更実施が可能である。
例えば、上記実施の形態では、脈拍センサを用いて、通話者の脈拍を検出することで、通話者の精神状態の変化や身体状態の変化を検出することとしたが、通話者の精神状態の変化や身体状態の変化を検出することができる情報を検出できればよく、特に限定しない。例えば、通話者の体温や汗を検出するようにすることでも可能である。また、音声情報発生装置は、ブルートウース（Ｂｌｕｅｔｏｏｔｈ）と呼ばれる近距離無線技術により通信端末装置との間で情報通信が可能な装置に適用することも可能である。
【００５８】
【発明の効果】
以上の説明から明らかなように本発明は以下のような効果を奏する。
第１の効果は、通話時において、通話者の脈拍を擬似的な脈拍音として通話時のバックグランドとして流すことにより、通話者の声やメール文や画像に現れない興奮や緊張感を相手側に伝えることができるため、通話者の肉体的感覚もしくは感性に直接的に訴えるコミュニケーションを可能とし、これまでの音声および画像によるコミュニケーションに加え、さらに親密度、一体感をもったコミュニケーションが可能となる。
【００５９】
第２の効果は、擬似脈拍音の音色を各種設定可能にしたり、脈拍数の変化を誇張したりして相手側に伝えることで娯楽性を高めたコミュニケーションが可能となる。
【図面の簡単な説明】
【図１】第１の実施の形態におけるコミュニケーションツールの構成を示すブロック図である。
【図２】本発明にかかるコミュニケーションツールの利用形態を示す図である。
【図３】第２の実施の形態におけるコミュニケーションツールの第１の構成を示すブロック図である。
【図４】第２の実施の形態におけるコミュニケーションツールの第２の構成を示すブロック図である。
【図５】第１の実施の形態におけるコミュニケーションツールを移動体通信端末装置に搭載した構成を示すブロック図である。
【図６】第２の実施の形態におけるコミュニケーションツールを移動体通信端末装置に搭載した第１の構成を示すブロック図である。
【図７】第２の実施の形態におけるコミュニケーションツールを移動体通信端末装置に搭載した第２の構成を示すブロック図である。
【符号の説明】
１０  脈拍センサ
１１  カウンタ
１２  スイッチ
１３  基準脈拍メモリ
１４  減算器
１５  乗算器
１６  加算器
１７  パルス再生器
２０  脈拍音発生器
３０  音量調整器
４０  送話器
５０  受話器
６０  加算器
７０  プラグ
８０  送信器
【図１】
2004305330.tif 000003
【図２】
2004305330.tif 000004
【図３】
2004305330.tif 000005
【図４】
2004305330.tif 000006
【図５】
2004305330.tif 000007
【図６】
2004305330.tif 000008
【図７】
2004305330.tif 000009